(57)【要約】【課題】  ワンタッチで開閉することと、密閉性を有することの双方が要求される生ゴミやおむつ、ペットの排泄物を拭き取ったティッシュなどを廃棄するなどの用途に最適なごみ箱を提供する。【解決手段】  ごみ箱本体１の上部開口に対し、一端をヒンジ部、他端をロック部として蓋体１０を上下に開閉自在に設けるとともに上記蓋体に開放方向の付勢力を与えたごみ箱において、蓋体の一端にヒンジ片２０を回動自在に突設するとともに、ごみ箱本体の上部一端に上記ヒンジ片を挿入可能な挿入凹部３を凹設することによりヒンジ部とし、蓋体の上記ヒンジ片の取り付け箇所より内方、ごみ箱本体の上部の上記挿入凹部より内方のそれぞれに、蓋体の被蓋時に互いに嵌まり合う環状の嵌合部１２、２を設け、蓋体側の嵌合部またはごみ箱本体側の嵌合部にパッキンＰを内設する。【選択図】  図５
2018090364.tif 000002
【特許請求の範囲】
【請求項１】
ごみ箱本体の上部開口に対し、一端をヒンジ部、他端をロック部として蓋体を上下に開閉自在に設けるとともに上記蓋体に開放方向の付勢力を与えたごみ箱において、蓋体の一端にヒンジ片を回動自在に突設するとともに、ごみ箱本体の上部一端に上記ヒンジ片を挿入可能な挿入凹部を凹設することによりヒンジ部とし、蓋体の上記ヒンジ片の取り付け箇所より内方、ごみ箱本体の上部の上記挿入凹部より内方のそれぞれに、蓋体の被蓋時に互いに嵌まり合う環状の嵌合部を設け、蓋体側の嵌合部またはごみ箱本体側の嵌合部にパッキンを内設したことを特徴とするごみ箱。
【請求項２】
蓋体側の嵌合部を環状の溝とするとともに、上記溝部内にパッキンを内設し、本体側の嵌合部を環状の突条とした請求項１記載のごみ箱。
【請求項３】
ヒンジ片は正面板の両側に側板を立設した構成よりなり、それぞれの側板端の内外から軸を突設し、外側の軸は蓋体の端部に凹設したヒンジ片端部の回動代の両側の軸受け壁の軸孔に軸通するために使用し、内側の軸は一端をヒンジ片の正面板に、他端を蓋体に当接させるねじりコイルバネのコイル部を外挿するために使用することにより、蓋体の一端にヒンジ片を回動自在に突設するとともに、ヒンジ片に蓋体と水平方向に回動しようとする付勢力を与えた請求項１または２記載のごみ箱。
【請求項４】
ごみ箱本体のヒンジ片を挿入する挿入凹部の底部の両側に、挿入したヒンジ片の両側の側板端が貫通する穴を設けるとともに、上記側板端の表裏のいずれかに貫通時に上記の穴の縁に係止する係止突起を設けた請求項３記載のごみ箱。
【発明の詳細な説明】
【技術分野】
【０００１】
本願発明は、ごみ箱に関し、より詳細にはごみ箱本体に対し開閉自在に被蓋される蓋体を有するごみ箱の蓋体の密閉機構に関する。
【背景技術】
【０００２】
ごみ箱本体の上部開口に対し、一端をヒンジ部、他端をロック部とした蓋体を上下に開閉自在に設けたごみ箱が公知である（例えば特許文献１）。
【０００３】
前記のごみ箱においては、ごみ箱内に廃棄するごみを片手に持った状態で蓋体の開閉作業を行うので、蓋体に開放方向の付勢力を与えることによりロックの解除のみで蓋体が跳ね上がるようにしている。
【０００４】
蓋体に開放方向の付勢力を与えるためには、回動のための軸の他に付勢力を与えるための金属製のバネが必要となる。この場合、軸回りの構造が煩雑になるが、汚れが付着したごみ箱本体を丸洗いしやすくするためには、ごみ箱本体側の構造は可能な限りシンプルであることが望ましい。
【０００５】
そのため、従来のごみ箱はごみ箱本体の開口縁に外嵌する蓋枠を用意し、この蓋枠に対して蓋体を回動自在に設けるとともに蓋体に開放方向の付勢力を与える構造を採用していた。例えば特許文献１には、
「容器１の開口上縁に後縁部を隆設した枠体３が形成され、該枠体の後縁部にバネ材８を介して常時開放力を付与されて蓋５が枢着され、該蓋の前縁部に設けられた係止突部１０が前記枠体の前縁部の対向位置に設けられたロツク機構１１に係脱されるように自動開閉蓋を具備した。」
〜ごみ箱が開示されている。
【先行技術文献】
【特許文献】
【０００６】
【特許文献１】実願昭５９−４５３０号（実開昭６０−１１５８５７号）のマイクロフィルム
【発明の開示】
【発明が解決しようとする課題】
【０００７】
前記の公知発明によればごみ箱本体側の構造はシンプルになる。しかしながら、ごみ箱本体と蓋体の他に、部材として蓋枠が必要となるので製造コストが嵩む問題が生じた。
【０００８】
さらに、蓋体を設けた蓋枠はごみ箱本体に単に載置するだけなので、例えば生ゴミやおむつ、ペットの排泄物を拭き取ったティッシュなどを廃棄するためのごみ箱のように外気との密閉性を要求されるごみ箱としては使用できない問題があった。
【課題を解決するための手段】
【０００９】
本願発明は以上の従来技術の問題点に鑑み、機構が簡単で、かつ充分な密閉性を備えたごみ箱を提供することを目的として創作されたものである。
【００１０】
すなわち、本願発明のごみ箱は、ごみ箱本体の上部開口に対し、一端をヒンジ部、他端をロック部として蓋体を上下に開閉自在に設けるとともに上記蓋体に開放方向の付勢力を与えたごみ箱において、蓋体の一端にヒンジ片を回動自在に突設するとともに、ごみ箱本体の上部一端に上記ヒンジ片を挿入可能な挿入凹部を凹設することによりヒンジ部とし、蓋体の上記ヒンジ片の取り付け箇所より内方、ごみ箱本体の上部の上記挿入凹部より内方のそれぞれに、蓋体の被蓋時に互いに嵌まり合う環状の嵌合部を設け、蓋体側の嵌合部またはごみ箱本体側の嵌合部にパッキンを内設したことを特徴とする。
【００１１】
また、請求項２記載の発明は、前記のごみ箱において、蓋体側の嵌合部を環状の溝とするとともに、上記溝部内にパッキンを内設し、本体側の嵌合部を環状の突条としたしたことを特徴とする。
【００１２】
また、請求項３記載の発明は、前記のごみ箱において、ヒンジ片は正面板の両側に側板を立設した構成よりなり、それぞれの側板端の内外から軸を突設し、外側の軸は蓋体の端部に凹設したヒンジ片端部の回動代の両側の軸受け壁の軸孔に軸通するために使用し、内側の軸は一端をヒンジ片の正面板に、他端を蓋体に当接させるねじりコイルバネのコイル部を外挿するために使用することにより、蓋体の一端にヒンジ片を回動自在に突設するとともに、ヒンジ片に蓋体と水平方向に回動しようとする付勢力を与えたことを特徴とする。
【００１３】
また、請求項４記載の発明は、前記のごみ箱において、ごみ箱本体のヒンジ片を挿入する挿入凹部の底部の両側に、挿入したヒンジ片の両側の側板端が貫通する穴を設けるとともに、上記側板端の表裏のいずれかに貫通時に上記の穴の縁に係止する係止突起を設けたことを特徴とする。
【発明の効果】
【００１４】
本願発明のごみ箱によれば、蓋体の一端にヒンジ片を回動自在に突設するとともに、ごみ箱本体の上部一端に上記ヒンジ片を挿入可能な挿入凹部を凹設することによりヒンジ部としているので、ごみ箱本体側の構造がシンプルとなり、汚れが付着したごみ箱本体の丸洗いがしやすくなる効果を得ることができる。
【００１５】
また、前記の構成により蓋枠が不要となるので、製造コストを軽減できる効果を得ることができる。
【００１６】
さらに、蓋体のヒンジ片の取り付け箇所より内方、ごみ箱本体の上部の上記挿入凹部より内方のそれぞれに、蓋体の被蓋時に互いに嵌まり合う環状の嵌合部を設け、蓋体側の嵌合部またはごみ箱本体側の嵌合部にパッキンを内設するので、密閉性に富んだごみ箱とすることができ、ワンタッチで開閉することと、密閉性を有することの双方が要求される生ゴミやおむつ、ペットの排泄物を拭き取ったティッシュなどを廃棄するなどの用途に最適なごみ箱が実現される。
【００１７】
次に、請求項２記載の発明によれば、蓋体側の嵌合部を環状の溝とするとともに、上記溝部内にパッキンを内設し、本体側の嵌合部を環状の突条とするので、密閉に必要なパッキンは蓋体側に位置することになりごみ箱本体側には位置せず、しかも嵌合にあたっての環状の溝部は蓋体側に位置し、本体側は突条なので、汚れが付着したごみ箱本体の丸洗いにあたり、パッキンがないので洗いやすく、環状の溝部がないのでそこに水が溜まるおそれもない。
【００１８】
次に、請求項３記載の発明によれば、ヒンジ片を正面板の両側に側板を立設した構成とし、それぞれの側板端の内外から軸を突設し、外側の軸は蓋体の端部に凹設したヒンジ片端部の回動代の両側の軸受け壁の軸孔に軸通するために使用し、内側の軸は一端をヒンジ片の正面板に、他端を蓋体に当接させるねじりコイルバネのコイル部を外挿するために使用することにより、蓋体の一端にヒンジ片を回動自在に突設するとともに、ヒンジ片に蓋体と水平方向に回動しようとする付勢力を与えるので、機構が非常にシンプルであり、一成形で得られるヒンジ片の他にはねじりコイルバネ以外の部材は必要でなく製造コストを軽減できる効果を得ることができる。
【００１９】
次に、請求項４記載の発明によれば、ごみ箱本体のヒンジ片を挿入する挿入凹部の底部の両側に、挿入したヒンジ片の両側の側板端が貫通する穴を設けるとともに、上記側板端の表裏のいずれかに貫通時に上記の穴の縁に係止する係止突起を設けるので、蓋体はヒンジ片の係止突起によりごみ箱本体に確実に固定されるので、蓋体が不用意にごみ箱本体から外れることが防止される。
【図面の簡単な説明】
【００２０】
【図１】本願発明のごみ箱の蓋を開放した状態の斜視図。
【図２】同上、蓋を閉めた状態の斜視図。
【図３】同上、ごみ箱本体の斜視図
【図４】同上、蓋体の分解斜視図。
【図５】同上、蓋体とヒンジ片とごみ箱本体の関係を示す斜視図。
【図６】同上、蓋体との分解斜視図。
【図７】同上、蓋体の底面図。
【図８】同上、ごみ箱本体の平面図。
【発明を実施するための最良の形態】
【００２１】
以下、本願発明のごみ箱の具体的実施例を添付図面に基づいて説明する。図１および２は本願発明が実施されるごみ箱の一例を示す図である。このごみ箱はプラスチックを成形することにより得られるものであり、ごみ箱本体１の上部開口１Ａに対し、一端をヒンジ部、他端をロック部とした蓋体１０を上下に開閉自在に設けるとともに上記蓋体に開放方向の付勢力を与えた基本構成からなる。
【００２２】
前記のヒンジ部は蓋体１０の一端にヒンジ片２０を回動自在に突設するとともに、ごみ箱本体１の上部一端に上記ヒンジ片を挿入可能な挿入凹部３を凹設することにより構成される。
【００２３】
この実施例ではヒンジ片２０は、正面板２０Ａの両側に側板２３、２３を立設し、それぞれの側板端の内外から軸２１、２１を突設した構成としている。そして、上記外側の軸は蓋体１０の端部に凹設したヒンジ片端部の回動代１０Ａの両側の軸受け壁１３、１３の軸孔１４、１４に軸通するために使用し、内側の軸は一端をヒンジ片の正面板２０Ａに、他端を蓋体に当接させるねじりコイルバネ２２、２２のコイル部を外挿するために使用することにより、蓋体の一端にヒンジ片２０を回動自在に突設するとともに、ヒンジ片に蓋体と水平方向に回動しようとする付勢力を与える手段としている（図４〜７参照）。
【００２４】
また、ここではごみ箱本体１のヒンジ片２０を挿入する挿入凹部３の底部の両側に、挿入したヒンジ片の両側の側板２３、２３端が貫通する一対の穴５、５を設けるとともに、上記側板端の表側に貫通時に上記の穴の縁に係止する係止突起２３Ａ、２３Ａを設けることにより、ごみ箱本体に挿入したヒンジの抜け止めとしている。
【００２５】
前記のロック部は、天板に押圧部を、垂下板にごみ箱本体１への係止部３４を設けた倒立Ｌ字形のロック解除操作片３３を、蓋体１０の一端に凹設した凹部３５に回動自在に軸止し、上記係止部をごみ箱本体の上部開口の周縁の前端部に立設した係止用アーチ部３６の係止穴に係止自在とすることにより構成される。
【００２６】
本願発明は蓋体の回動のための機構をごみ箱本体１側でなく蓋体１０側に設け、しかも回動のための軸や付勢力を与えるための金属製のバネなどの機構を蓋体１０に直接設けるのでなく、前記のようにヒンジ片２０内に納めている。よって、ごみ箱本体１の上縁はもとより、蓋体１０の裏面の構造も煩雑とならず、それを生かして密閉のための嵌合構造を設けることが可能となっている。
【００２７】
前記の密閉のための構造は、蓋体の被蓋時にパッキンを介して互いに嵌まり合う、蓋体１０の裏面のヒンジ片２０の取り付け箇所より内方に立設される環状の嵌合部１２と、ごみ箱本体１の上部のヒンジ片の挿入凹部３より内方に立設される環状の嵌合部２により構成されるが、ここでは、蓋体側の嵌合部を環状の溝とするとともに、上記溝部内にパッキンＰを内設し、本体側の嵌合部を環状の突条としている。
【００２８】
なお、図１及び図３において図中符号６は、ごみ箱本体１にその内周との間にプラスチックフィルム製のごみ袋の開口周縁を挟み込むために着脱自在に配される枠体である。
【符号の説明】
【００２９】
１        ごみ箱本体
２        嵌合部
３        挿入凹部
４        凹部
５        穴
６        枠体
１０      蓋体
１２      嵌合部
１３      軸受け壁
１４      軸孔
２０      ヒンジ片
２０Ａ    正面板
２１      軸  
２２      ねじりコイルバネ
２３      側板
２３Ａ    係止突起
３３      ロック解除操作片
３４      係止部
３５      凹部
Ｐ        パッキン
【図１】
2018090364.tif 000003
【図２】
2018090364.tif 000004
【図３】
2018090364.tif 000005
【図４】
2018090364.tif 000006
【図５】
2018090364.tif 000007
【図６】
2018090364.tif 000008
【図７】
2018090364.tif 000009
【図８】
2018090364.tif 000010